【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
時刻情報を含む標準電波を受信する受信手段と、
基準クロックパルスを生成する基準クロック生成手段と、
前記基準クロックに基づいて現時刻をカウントする計時手段と、
前記受信手段の受信動作を制御する受信制御手段と、
前記受信手段で受信された時刻情報を処理して受信の成否を判断する受信情報処理手段と、
前記受信手段で受信された時刻情報に基づいて前記計時手段の現時刻を修正する現時刻修正手段と、
前記計時手段で計時された現時刻を表示する時刻表示手段と、
を有する電波修正時計であって、
前記受信制御手段は、前記受信手段が前記標準電波を受信するタイミングを制御する受信タイ  ミング制御手段と受信モード制御手段とを有し、
前記受信モード制御手段は、前記標準電波の時刻情報のうち一部の情報のみを前記受信手段に受信させる第1受信モードと前記第1受信モードより多くの時刻情報を前記受信手段に受信させる  第2受信モードとを有し、
前記第1受信モード又は前記第2受信モードのどちらか一方を選択する受信モード選択手段426は、通常は前記第1受信モードを選択し、所定決定条件に該当する場合は前記第2受信モードを選択することを特徴とする電波修正時計。
【請求項２】
請求項１に記載の電波修正時計において、
前記第１受信モードにおいて受信する前記限定時刻情報は、標準電波の時刻情報のうち、秒、  分および時の情報であることを特徴とする電波修正時計。
【請求項３】
請求項１または請求項２に記載の電波修正時計において、前記計時手段で計時され前記時刻表示手段で表示される現時刻の外部修正指令および標準電波の強制受信動作指令を選択的に入力可能な外部操作手段を備え、
前記受信モード選択手段は、前記計時手段がリセットされた場合、
前記計時手段の現時刻のうち日情報および曜日情報の少なくとも一方が前記外部操作手段にて修正された場合、前記外部操作手段にて標準電波の強制受信動作が指令された場合、
の少なくともいずれかに該当する場合には前記所定決定条件に該当するとして前記第２受信モードを選択することを特徴とする電波修正時計。
【請求項４】
請求項１から請求項３のいずれかに記載の電波修正時計において、
前記受信手段で受信された標準電波の時刻情報を一時的に記憶するとともに受信された時刻情報が正確に受信されたものであるかを判断する受信情報処理手段を備え、
前記受信情報処理手段は、前記第１受信モードにおいては、受信した時刻情報と前記計時手段でカウントされる現時刻との差が許容範囲内であれば受信に成功していると判断することを特徴とする電波修正時計。
【請求項５】
請求項１から請求項４のいずれかに記載の電波修正時計において、
前記受信手段で受信された標準電波の時刻情報を一時的に記憶するとともに受信された
時刻情報が正確に受信されたものであるかを判断する受信情報処理手段を備え、
前記受信情報処理手段は、前記第２受信モードにおいては、連続して受信した時刻情報
が所定時間差となっており、かつ、連続して受信した時刻情報が所定時間差となることが
複数回あった場合に受信に成功したと判断することを特徴とする電波修正時計。
【請求項６】
時刻情報を含む標準電波を受信する受信工程と、
基準クロックパルスを生成する基準クロック生成工程と、
前記基準クロックに基づいて現時刻をカウントする計時工程と、
前記受信工程の受信動作を制御する受信制御工程と、
前記受信工程で受信された時刻情報を処理して受信の成否を判断する受信情報処理工程と、
前記受信工程で受信された時刻情報に基づいて前記計時手段の現時刻を修正する現時刻修正工程と、
前記計時工程で計時された現時刻を表示する時刻表示工程と、
を有する電波修正時計の制御方法であって、
前記受信制御工程は、前記受信工程が前記標準電波を受信するタイミングを制御する受信タイミング制御工程と受信モード制御工程とを有し、
前記受信モード制御工程は、前記標準電波の時刻情報のうち一部の情報のみを前記受信工程に受信させる第1受信モードと前記第1受信モードより多くの時刻情報を前記受信工程に受信させる第2受信モードとを有し、
前記第1受信モード又は前記第2受信モードのどちらか一方を選択する受信モード選択工程は、通常は前記第1受信モードを選択し、所定決定条件に該当する場合は前記第2受信モードを選択することを特徴とする電波修正時計の制御方法。
【請求項７】
請求項６に記載の電波修正時計の制御方法において、
前記計時工程で計時され前記時刻表示工程で表示される現時刻の外部修正指令および標
準電波の強制受信動作指令を選択的に入力可能な外部操作工程を備え、
前記計時工程でカウントされる現時刻がリセットされた場合、および、前記外部操作工
程にて標準電波の強制受信動作が指令された場合、の少なくともいずれかに該当する場合
には、前記所定決定条件に該当するとして前記受信モード選択工程は前記第２受信モード
を選択し、続いて即時に前記受信モード制御工程は前記受信工程で前記第２受信モードを
実行させることを特徴とする電波修正時計の制御方法。
【請求項８】
請求項６または請求項７に記載の電波修正時計の制御方法において、
前記計時工程で計時され前記時刻表示工程で表示される現時刻の外部修正指令および標
準電波の強制受信動作指令を選択的に入力可能な外部操作工程を備え、
前記受信工程にて前記標準電波の受信を開始する時刻として自動受信時刻が予め設定さ
れ、
前記計時工程でカウントされる現時刻のうち日情報および曜日情報の少なくとも一方が
前記外部操作工程にて修正された場合には前記所定条件に該当するとして前記受信モード
選択工程は前記第２受信モードを選択し、
前記受信モード制御工程は、前記外部操作工程にて標準電波の強制受信動作が指令され
た場合、あるいは、前記計時工程でカウントされる現時刻が前記自動受信時刻に到達した
場合に前記受信工程で前記第２受信モードを実行させることを特徴とする電波修正時計の制御方法。
【請求項９】
時刻情報を含む標準電波を受信する受信手段を備えた電波修正時計に組み込まれたコンピュータを、
基準クロックパルスに基づいて現時刻をカウントする計時手段と、
前記受信手段で受信した時刻情報に基づいて前記計時手段の現時刻を修正する現時刻修正手段と、
前記受信手段の受信動作を制御する受信制御手段と、して機能させる制御プログラムであって、
前記受信制御手段は、異なる複数の受信モードが設定されているとともに前記複数の受信モードから選択された受信モードで前記受信手段に受信動作を実行させる受信モード制御手段と、
前記受信モード制御手段に設定された前記複数の受信モードのうちから所定の決定条件に応じて受信モードを選択する受信モード選択手段と、しての機能を有し、
前記複数の受信モードとしては、標準電波の時刻情報のうち限定された一部の限定時刻情報のみを前記受信手段に受信させる第１受信モードと、
前記第１受信モードより前記標準電波の時刻情報を多く前記受信手段に受信させる第２受信モードと、が設定されており、
前記受信モード選択手段は、通常は前記第１受信モードを選択し、所定決定条件に該当する場合にのみ前記第２受信モードを選択することを特徴とするコンピュータ読取り可能な電波修正時計の制御プログラム。
【請求項１０】
請求項９に記載の電波修正時計の制御プログラムをコンピュータ読取り可能に記録した記録媒体。
【手続補正２】
【補正対象書類名】明細書
【補正対象項目名】０００９
【補正方法】変更
【補正の内容】
【０００９】
本発明の電波修正時計は、時刻情報を含む標準電波を受信する受信手段と、
基準クロックパルスを生成する基準クロック生成手段と、
前記基準クロックに基づいて現時刻をカウントする計時手段と、
前記受信手段の受信動作を制御する受信制御手段と、
前記受信手段で受信された時刻情報を処理して受信の成否を判断する受信情報処理手段と、
前記受信手段で受信された時刻情報に基づいて前記計時手段の現時刻を修正する現時刻修正手段と、
前記計時手段で計時された現時刻を表示する時刻表示手段と、
を有する電波修正時計であって、
前記受信制御手段は、前記受信手段が前記標準電波を受信するタイミングを制御する受信タイミング制御手段と受信モード制御手段とを有し、
前記受信モード制御手段は、前記標準電波の時刻情報のうち一部の情報のみを前記受信手段に受信させる第1受信モードと前記第1受信モードより多くの時刻情報を前記受信手段に受信させる第2受信モードとを有し、
前記第1受信モード又は前記第2受信モードのどちらか一方を選択する受信モード選択手段426は、通常は前記第1受信モードを選択し、所定決定条件に該当する場合は前記第2受信モードを選択することを特徴とする。
【手続補正３】
【補正対象書類名】明細書
【補正対象項目名】００３１
【補正方法】変更
【補正の内容】
【００３１】
本発明の電波修正時計の制御方法は、時刻情報を含む標準電波を受信する受信工程と、
基準クロックパルスを生成する基準クロック生成工程と、
前記基準クロックに基づいて現時刻をカウントする計時工程と、
前記受信工程の受信動作を制御する受信制御工程と、
前記受信工程で受信された時刻情報を処理して受信の成否を判断する受信情報処理工程と、
前記受信工程で受信された時刻情報に基づいて前記計時工程の現時刻を修正する現時刻修正工程と、
前記計時工程で計時された現時刻を表示する時刻表示工程と、
を有する電波修正時計の制御方法であって、
前記受信制御工程は、前記受信工程が前記標準電波を受信するタイミングを制御する受信タイミング制御工程と受信モード制御工程とを有し、
前記受信モード制御工程は、前記標準電波の時刻情報のうち一部の情報のみを前記受信工程に受信させる第1受信モードと前記第1受信モードより多くの時刻情報を前記受信手段に受信させる第2受信モードとを有し、
前記第1受信モード又は前記第2受信モードのどちらか一方を選択する受信モード選択工程は、通常は前記第1受信モードを選択し、所定決定条件に該当する場合は前記第2受信モードを選択することを特徴とする。